(57)【要約】【課題】照明装置を覆う照明遮蔽部を利用して洗濯物を室内干しするに際し、その洗濯物を乾かし易くすることができる建物を提供する。【解決手段】建物１０は、居室１１に面して設けられた仕切壁１２ａと、その仕切壁１２ａの付近に設けられ居室１１を照らす照明器具２１と、仕切壁１２ａに固定されその仕切壁１２ａから居室１１側に延出して設けられているとともに照明器具２１を下方から覆う照明遮蔽部２２と、を備える。照明遮蔽部２２には、仕切壁１２ａ側とは反対側に洗濯物を吊るハンガーＨを引っ掛け可能な立ち上がり部２４が設けられている。また、居室１１には、照明遮蔽部２２の下方に向けて空調用の空気を吹き出す吹出口３４が設けられている。【選択図】      図１
2020037839.tif 000002
【特許請求の範囲】
【請求項１】
屋内空間に面して設けられた壁部と、
その壁部の付近に設けられ、前記屋内空間を照らす照明装置と、
前記壁部に固定され、その壁部から前記屋内空間側に延出して設けられているとともに前記照明装置を下方から覆う照明遮蔽部と、を備える建物であって、
前記照明遮蔽部には、前記壁部側とは反対側に洗濯物を吊る吊り具を引っ掛け可能な引っ掛け部が設けられ、
前記屋内空間には、前記照明遮蔽部の下方に向けて空調用の空気を吹き出す吹出口が設けられていることを特徴とする建物。
【請求項２】
前記吹出口は、前記照明遮蔽部に配置されているか、又は前記壁部において前記照明遮蔽部の直下となる高さ位置に配置されていることを特徴とする請求項１に記載の建物。
【請求項３】
前記吹出口は、前記照明遮蔽部に配置されていることを特徴とする請求項２に記載の建物。
【請求項４】
前記壁部から離間した位置で前記照明遮蔽部とその上方にある天井部とに跨がって設けられた支持部を備え、
前記照明遮蔽部は、前記支持部を介して前記天井部に支持されていることを特徴とする請求項１乃至３のいずれか一項に記載の建物。
【請求項５】
前記支持部は、前記壁部の壁幅方向に延びる壁状をなしており、
前記照明装置は、前記支持部よりも前記壁部側とは反対側に配置されていることを特徴とする請求項４に記載の建物。
【請求項６】
前記吹出口は、前記照明遮蔽部における前記支持部よりも前記壁部側に配置され、
その吹出口には、当該吹出口へ前記空調用の空気を送る通気部材が接続されており、
前記通気部材は、前記支持部と前記壁部との間の空間を通じて配設されていることを特徴とする請求項５に記載の建物。
【発明の詳細な説明】
【技術分野】
【０００１】
本発明は、建物に関する。
【背景技術】
【０００２】
近年、住宅等の建物では、壁際に間接照明が構築される場合がある。例えば特許文献１には、かかる間接照明に関する構成として、壁部の付近に設けられた照明装置と、その照明装置を覆う遮蔽部材とを備えた構成が開示されている。遮蔽部材は、壁部から延出して設けられ照明装置を下方から覆う延出部と、その延出部の先端部から上方に立ち上がり照明装置を正面側（壁部とは反対側）から覆う立ち上がり部とを有している。
【先行技術文献】
【特許文献】
【０００３】
【特許文献１】特開２０００−１１７１９号公報
【発明の概要】
【発明が解決しようとする課題】
【０００４】
ここで、上記特許文献１の構成では、遮蔽部材に立ち上がり部が設けられているため、その立ち上がり部を利用して洗濯物を室内にて干すことが考えられる。すなわち、立ち上がり部に洗濯物を吊るハンガー等の吊り具を引っ掛けて洗濯物を室内干しすることが考えられる。
【０００５】
しかしながら、上記のような室内干しを行うと、洗濯物が通気性のよくない壁際で干されることになるため、洗濯物が乾きにくくなるおそれがある。
【０００６】
本発明は、上記事情に鑑みてなされたものであり、照明装置を覆う照明遮蔽部を利用して洗濯物を室内干しするに際し、その洗濯物を乾かし易くすることができる建物を提供することを主たる目的とするものである。
【課題を解決するための手段】
【０００７】
上記課題を解決すべく、第１の発明の建物は、屋内空間に面して設けられた壁部と、その壁部の付近に設けられ、前記屋内空間を照らす照明装置と、前記壁部に固定され、その壁部から前記屋内空間側に延出して設けられているとともに前記照明装置を下方から覆う照明遮蔽部と、を備える建物であって、前記照明遮蔽部には、前記壁部側とは反対側に洗濯物を吊る吊り具を引っ掛け可能な引っ掛け部が設けられ、前記屋内空間には、前記照明遮蔽部の下方に向けて空調用の空気を吹き出す吹出口が設けられていることを特徴とする。
【０００８】
本発明によれば、照明装置を下方から覆う照明遮蔽部に引っ掛け部が設けられているため、その引っ掛け部に洗濯物を吊るハンガー等の吊り具を引っ掛けて洗濯物を室内干しすることが可能となる。また、屋内空間には、照明遮蔽部の下方に向けて空調用の空気を吹き出す吹出口が設けられているため、照明遮蔽部を利用して洗濯物を壁際で室内干しする場合にあって、吹出口から吹き出す空調用空気により洗濯物を乾かし易くすることができる。
【０００９】
第２の発明の建物は、第１の発明において、前記吹出口は、前記照明遮蔽部に配置されているか、又は前記壁部において前記照明遮蔽部の直下となる高さ位置に配置されていることを特徴とする。
【００１０】
本発明によれば、吹出口が照明遮蔽部に配置されているか、又は壁部において照明遮蔽部の直下となる高さ位置に配置されているため、吹出口を目立ちにくくすることができる。特に、夜間においては、吹出口が照明装置の光が及びにくい陰になる場所に位置することになるため、吹出口をより目立ちにくくすることができる。これにより、意匠性の低下を抑制しながら、上記第１の発明の効果を得ることができる。
【００１１】
第３の発明の建物は、第２の発明において、前記吹出口は、前記照明遮蔽部に配置されていることを特徴とする。
【００１２】
本発明によれば、吹出口が照明遮蔽部に配置されているため、吹出口をより一層目立ちにくくすることができる。
【００１３】
第４の発明の建物は、第１乃至第３のいずれかの発明において、前記壁部から離間した位置で前記照明遮蔽部とその上方にある天井部とに跨がって設けられた支持部を備え、前記照明遮蔽部は、前記支持部を介して前記天井部に支持されていることを特徴とする。
【００１４】
本発明によれば、照明遮蔽部が壁部に支持されているとともに、壁部から離れた位置で支持部を介して天井部に支持されている。この場合、照明遮蔽部の支持強度を確保しながら、照明遮蔽部の壁部からの延出長さを長くすることができる。そのため、照明遮蔽部を用いて洗濯物を壁部の壁際で室内干しするに際し、その洗濯物を壁部から離して干すことが可能となる。
【００１５】
第５の発明の建物は、第４の発明において、前記支持部は、前記壁部の壁幅方向に延びる壁状をなしており、前記照明装置は、前記支持部よりも前記壁部側とは反対側に配置されていることを特徴とする。
【００１６】
本発明によれば、支持部が壁部の壁幅方向に延びる壁状をなしており、その支持部よりも反壁部側に照明装置が配置されているため、照明装置からの光を支持部の壁面を利用して反射させることができる。これにより、照明遮蔽部の延出長さを長くすることを可能とした上述の構成にあって、照明装置からの光を反壁部側（換言すると屋内空間側）に好適に導くことができ、その結果、好適な間接照明を実現することができる。
【００１７】
第６の発明の建物は、第５の発明において、前記吹出口は、前記照明遮蔽部における前記支持部よりも前記壁部側に配置され、その吹出口には、当該吹出口へ前記空調用の空気を送る通気部材が接続されており、前記通気部材は、前記支持部と前記壁部との間の空間を通じて配設されていることを特徴とする。
【００１８】
本発明によれば、吹出口が照明遮蔽部における支持部よりも壁部側に配置されているため、上記第３の発明と同様の効果を得ることができる。また、吹出口に接続された通気部材が壁状の支持部と壁部との間の空間を通じて配設されているため、デッドスペースになりがちな当該空間の有効利用を図ることができる。
【図面の簡単な説明】
【００１９】
【図１】居室周辺の構成を示す断面図。
【図２】他の実施形態における居室周辺の構成を示す断面図。
【発明を実施するための形態】
【００２０】
以下に、本発明を具体化した一実施の形態について図面を参照しつつ説明する。なお、図１は居室周辺の構成を示す断面図である。
【００２１】
図１に示すように、住宅等の建物１０には、居室１１を含む複数の居住空間が設けられている。居室１１は、その周囲が仕切壁１２により区画されている。仕切壁１２は、金属製の下地フレームと、その下地フレームを挟んで両側に設けられた一対の壁面材（例えば石膏ボード）とを有している。なお、居室１１が「屋内空間」に相当する。
【００２２】
居室１１には、その床部１３に床面材１４が設けられ、その天井部１５に天井面材１６が設けられている。床面材１４は、例えばパーティクルボードからなり、図示しない床梁により下方から支持されている。また、天井面材１６は、例えば石膏ボードよりなり、図示しない天井梁により上方から支持されている。
【００２３】
建物１０には、居住空間の他に、空調装置３１の設置された機械室１８が設けられている。機械室１８は、居室１１に隣接して設けられ、仕切壁１２により居室１１と仕切られている。この場合、居室１１の周囲に設けられた各仕切壁１２のうち、居室１１と機械室１８とを仕切る仕切壁１２が仕切壁１２ａとなっており、その仕切壁１２ａを挟んで対向する一対の仕切壁１２がそれぞれ仕切壁１２ｂとなっている。また、これら各仕切壁１２ａ，１２ｂはいずれも床面材１４と天井面材１６とに跨がって上下に延びている。なお、各仕切壁１２ａ，１２ｂのうち、仕切壁１２ａが「壁部」に相当する。
【００２４】
居室１１には、仕切壁１２ａの壁際に間接照明を構築する間接照明部２０が設けられている。間接照明部２０は、居室１１において天井付近の高さ位置に設けられ、居室１１を照らす照明器具２１と、その照明器具２１を覆う照明遮蔽部２２とを備えている。照明器具２１は、仕切壁１２ａの壁幅方向に沿って設けられ、照明装置に相当する。
【００２５】
照明遮蔽部２２は、仕切壁１２ａに固定され当該仕切壁１２ａから居室１１側（換言すると反仕切壁１２ａ側）に延出して設けられた延出部２３と、その延出部２３の先端部（詳しくは反仕切壁１２ａ側の端部）に設けられ当該延出部２３よりも上方に立ち上がる立ち上がり部２４とを有している。
【００２６】
延出部２３は、仕切壁１２ａの壁幅方向に沿って延びる水平板状をなしており、詳しくは仕切壁１２ａの壁幅方向全域に亘って延びている。延出部２３は、石膏ボード等の板材を含んで形成され、具体的には当該板材とその上側に固定された金属製のフレームとを含んで形成されている。そして、そのフレームが仕切壁１２ａに対して固定されている。また、延出部２３の上には照明器具２１が取り付けられている。これにより、延出部２３により照明器具２１が下方から覆われている。
【００２７】
立ち上がり部２４は、延出部２３の先端部に沿って延びており、詳しくは延出部２３の長手方向全域（つまり仕切壁１２ａの壁幅方向全域）に亘って延びている。立ち上がり部２４は、石膏ボード等の板材を含んで形成され、延出部２３の先端部詳しくは先端面に固定されている。立ち上がり部２４は、照明器具２１よりも上方に延びており、それにより照明器具２１が立ち上がり部２４により正面側（仕切壁１２ａとは反対側）から覆われている。
【００２８】
上記の構成によれば、照明器具２１から照射される光は照明遮蔽部２２により遮られることになるため、照明器具２１からの光は天井面材１６の下面（つまり居室１１の天井面）に反射してから天井下へ照射されることになる。これにより、居室１１の壁際において間接照明が実現されている。
【００２９】
照明遮蔽部２２の延出部２３と、その上方に設けられた天井面材１６との間にはそれら両者１６，２３に跨がって上下に延びる支持部２８が設けられている。支持部２８は、仕切壁１２ａから離間した位置に配置され、その下端部が延出部２３に固定され、その上端部が居室１１の天井部１５に固定されている。これにより、延出部２３ひいては照明遮蔽部２２が支持部２８を介して天井部１５に支持固定されている。
【００３０】
支持部２８は、上下に延びる壁状をなしており、石膏ボード等の板材を含んで形成されている。支持部２８は、仕切壁１２ａの壁幅方向に沿って（換言すると延出部２３の長手方向に沿って）延びており、詳しくは仕切壁１２ａの壁幅方向全域に亘って延びている。この場合、支持部２８は、仕切壁１２ａと離間対向した状態で設けられ、それら支持部２８と仕切壁１２ａとの間には所定のスペース２９が形成されている。このスペース２９は、支持部２８の裏側にあるため、以下においては支持部裏空間２９という。なお、この支持部裏空間２９が「支持部と壁部との間の空間」に相当する。
【００３１】
支持部２８は、延出部２３の延出方向（仕切壁１２ａの壁厚み方向）において当該延出部２３の略中央部に配置されている。照明器具２１は、延出部２３上においてその支持部２８よりも反仕切壁１２ａ側に配置され、換言すると支持部２８と立ち上がり部２４との間に配置されている。より詳しくは、照明器具２１は、支持部２８と立ち上がり部２４との間において支持部２８寄りの位置に配置されている。かかる構成では、照明器具２１から照射される光の一部が支持部２８の壁面と居室１１の天井面とにそれぞれ反射してから天井下に導かれることになる。
【００３２】
ここで、仕切壁１２ａの壁際に間接照明部２０が設けられた本建物１０では、その照明遮蔽部２２を利用して居室１１において洗濯物Ｓを室内干しすることが可能となっている。すなわち、洗濯物Ｓを吊るハンガーＨを照明遮蔽部２２の立ち上がり部２４（引っ掛け部に相当）に引っ掛けて洗濯物Ｓを室内干しすることが可能となっている。しかしながら、この場合、洗濯物Ｓが仕切壁１２ａの壁際で干されることになるため、洗濯物Ｓが乾きにくくなるおそれがある。そこで、本実施形態では、この点に鑑み、空調設備３０を利用して洗濯物Ｓを乾かし易くするための構成を設けている。以下においては、その構成について説明する。
【００３３】
建物１０には、屋内の空調を行う空調設備３０が設けられている。空調設備３０は、共通の空調装置３１を用いて複数の居住空間の空調を行う全館空調システムとして構築されている。空調設備３０は、空調空気を生成する空調装置３１と、その空調装置３１に接続された空調ダクト３２と、その空調ダクト３２に接続された吹出チャンバ３３と、その吹出チャンバ３３に接続された吹出口３４とを備える。なお、吹出チャンバ３３が通気部材に相当する。
【００３４】
空調装置３１は、機械室１８の床上に設置された室内機として構成されている。空調装置３１は、機械室１８の空気を取り込み、その取り込んだ空気を温度調整することで空調空気（冷気又は暖気）を生成する。
【００３５】
空調ダクト３２は、機械室１８において空調装置３１から上方に延びており、その上端部において支持部裏空間２９に入り込んでいる。支持部裏空間２９は、上述したように、支持部２８と仕切壁１２ａとの間の空間となっており、上下方向においては照明遮蔽部２２の延出部２３と天井面材１６との間に形成されている。仕切壁１２ａには、支持部裏空間２９と機械室１８とを連通する開口部３６が設けられている。その開口部３６を通じて空調ダクト３２が支持部裏空間２９に入り込んでいる。
【００３６】
吹出チャンバ３３は、支持部裏空間２９に設けられ、その支持部裏空間２９に入り込んだ空調ダクト３２と接続されている。その吹出チャンバ３３の下側には吹出口３４が接続されている。吹出口３４は、照明遮蔽部２２の延出部２３に設けられ、その延出部２３において支持部２８よりも仕切壁１２ａ側に配置されている。詳しくは、延出部２３には、吹出口３４を取り付けるための取付口３７が形成され、その取付口３７に吹出口３４が嵌め込まれた状態で取り付けられている。また、吹出口３４は、延出部２３における長手方向の略中央部に配置されている。
【００３７】
吹出口３４は、その開口を下方に向けた状態で延出部２３に取り付けられている。この場合、吹出口３４の開口は居室１１における延出部２３の下方（下方領域）に向けられている。かかる構成では、空調装置３１により生成された空調空気が空調ダクト３２及び吹出チャンバ３３を介して吹出口３４に供給され、その供給された空調空気が吹出口３４より下方に向けて居室１１に吹き出される。これにより、その吹き出された空調空気により居室１１の空調（冷暖房）が行われる。
【００３８】
また、この場合、吹出口３４より空調空気が延出部２３（照明遮蔽部２２）の下方に向けて吹き出されるため、その吹き出された空調空気が仕切壁１２ａの壁際において流れることになる。このため、照明遮蔽部２２を利用して洗濯物Ｓを仕切壁１２ａの壁際で室内干しする場合においては、その吹き出された空調空気により洗濯物Ｓを乾かし易くすることができる。
【００３９】
また、吹出口３４には、仕切壁１２ａの壁幅方向に延びる複数のスラット３４ａが横並びで設けられている。これらのスラット３４ａは、仕切壁１２ａから離間する側に向けて下方傾斜する向きで配置されている。この場合、吹出口３４より空調空気が仕切壁１２ａから離間する側へ斜め下向きに吹き出される。このため、照明遮蔽部２２を利用して洗濯物Ｓを室内干しする場合においては、空調空気が洗濯物Ｓ側に向けて吹き出されるため、洗濯物Ｓをより乾かし易くすることが可能となる。
【００４０】
ちなみに、図示は省略するが、空調ダクト３２は、その途中で分岐しており、その分岐した空調ダクトが居室１１以外の居住空間に向けて延びている。そして、空調装置３１により生成された空調空気は、その分岐した空調ダクトを通じて居室１１以外の居住空間にも供給されるようになっている。
【００４１】
以上、詳述した本実施形態の構成によれば、以下の優れた効果が得られる。
【００４２】
吹出口３４が照明遮蔽部２２に配置されているため、吹出口３４を目立ちにくくすることができる。特に、夜間においては、吹出口３４が照明器具２１の光が及びにくい陰になる場所に位置することになるため、吹出口３４をより目立ちにくくすることができる。これにより、意匠性の低下を抑制しながら、吹出口３４から吹き出す空調空気により洗濯物Ｓを乾かし易くするという上述の効果を得ることができる。
【００４３】
照明遮蔽部２２と天井部１５との間に跨がって支持部２８を設け、その支持部２８を介して照明遮蔽部２２を天井部１５に支持固定させた。この場合、照明遮蔽部２２が仕切壁１２ａに支持されるとともに、仕切壁１２ａから離れた位置で支持部２８を介して天井部１５に支持される。これにより、照明遮蔽部２２の支持強度を確保しながら、照明遮蔽部２２の仕切壁１２ａからの延出長さを長くすることができる。そのため、照明遮蔽部２２を用いて洗濯物Ｓを仕切壁１２ａの壁際で室内干しする場合において、その洗濯物Ｓを仕切壁１２ａから離して干すことが可能となる。したがって、例えば洗濯物Ｓが仕切壁１２ａに接触しにくくしたりすることが可能となる。
【００４４】
支持部２８を仕切壁１２ａの壁幅方向に延びる壁状に形成し、その支持部２８よりも反仕切壁１２ａ側に照明器具２１を配置した。この場合、照明器具２１からの光を支持部２８の壁面を利用して反射させることが可能となるため、照明遮蔽部２２の延出長さを長くした構成にあって、照明器具２１からの光を反仕切壁１２ａ側（換言すると居室１１側）に好適に導くことができ、その結果、好適な間接照明を実現することが可能となる。
【００４５】
仕切壁１２ａと支持部２８との間の支持部裏空間２９に吹出口３４に接続された吹出チャンバ３３を配設した。この場合、支持部裏空間２９を吹出チャンバ３３の配設スペースとして利用することができるため、デッドスペースとなりがちな当該空間２９の有効利用を図ることができる。
【００４６】
本発明は上記実施形態に限らず、例えば次のように実施されてもよい。
【００４７】
（１）上記実施形態では、吹出口３４を照明遮蔽部２２に設けたが、これに代えて、吹出口３４を仕切壁１２ａに設けてもよい。その具体例を図２に示す。図２の例では、上記実施形態の場合と異なり、照明遮蔽部２２と天井部１５との間に支持部２８が設けられていない。したがって、照明遮蔽部２２が、仕切壁１２ａにのみ支持固定され、その関係で照明遮蔽部２２（延出部２３）の仕切壁１２ａからの延出長さが上記実施形態と比べて短くなっている。また、照明器具２１は、照明遮蔽部２２上において仕切壁１２ａと立ち上がり部２４とのうち仕切壁１２ａ寄りに配置され、詳しくは仕切壁１２ａの近傍に配置されている。
【００４８】
また、図２の例では、空調設備３０において空調ダクト３２の上端部に接続された吹出チャンバ３３が機械室１８に配置されている。そして、その機械室１８に配置された吹出チャンバ３３の仕切壁１２ａ側に吹出口３４が接続されている。吹出口３４は、仕切壁１２ａにおいて照明遮蔽部２２の延出部２３よりも下方に設けられている。詳しくは、仕切壁１２ａには吹出口３４を取り付けるための取付口３９が設けられ、その取付口３９に吹出口３４が嵌め込まれた状態で取り付けられている。かかる取付状態において、吹出口３４は、その開口を居室１１側に向けて配置されている。これにより、吹出口３４から空調空気が居室１１における照明遮蔽部２２の下方に向けて吹き出されるようになっている。このため、かかる構成においても、照明遮蔽部２２を利用して洗濯物Ｓを室内干しする場合には、吹出口３４から吹き出される空調空気により洗濯物Ｓを乾かし易くすることができる。なお、吹出口３４の各スラット３４ａは上下に並設され、居室１１側に向けて下方傾斜する向きで配置されている。これにより、吹出口３４からは空調空気が居室１１側に向けて斜め下向きに吹き出されるようになっている。
【００４９】
また、吹出口３４は、仕切壁１２ａにおいて延出部２３の直下となる位置に配置されている。この場合、吹出口３４は、その上端部が延出部２３と略同じ高さ位置に設定され、詳しくは延出部２３よりも若干下方となる位置に設定されている。これにより、吹出口３４を目立ちにくくすることができるため、意匠性の低下を抑制しながら上述の効果を得ることができる。また、夜間においては、吹出口３４が照明器具２１からの光が及びにくい陰となる場所に配置されるため、吹出口３４をより目立ちにくくすることができる。
【００５０】
（２）上記（１）では、吹出口３４を仕切壁１２ａに設ける場合について説明したが、吹出口３４を仕切壁１２ｂに設けるようにしてもよい。この場合、吹出口３４を仕切壁１２ｂにおいて仕切壁１２ａとの境界部付近に設けることが考えられる。具体的には、吹出口３４を照明遮蔽部２２よりも低い位置に配置して、吹出口３４から空調空気が居室１１における照明遮蔽部２２の下方に向けて吹き出されるようにすることが考えられる。この場合であっても、照明遮蔽部２２を利用して洗濯物Ｓを室内干しする際には、吹出口３４から吹き出される空調空気により洗濯物Ｓを乾かし易くすることができる。
【００５１】
また、かかる構成では、吹出口３４から吹き出される空調空気が仕切壁１２ａの壁幅方向に沿って流れることになる。つまり、この場合、空調空気が照明遮蔽部２２の長手方向に沿って流れることになるため、照明遮蔽部２２に多数の洗濯物Ｓを引っ掛けて干す際にはそれらの洗濯物Ｓを好適に乾かし易くすることが可能となる。
【００５２】
（３）上記実施形態では、照明遮蔽部２２の立ち上がり部２４をハンガーＨを引っ掛ける引っ掛け部としたが、引っ掛け部は必ずしも立ち上がり部２４である必要はない。例えば、照明遮蔽部２２に立ち上がり部２４を設けることに代えて、照明遮蔽部２２の上面に仕切壁１２ａの壁幅方向に延びる溝部を設けてもよい。この場合、その溝部にハンガーＨの端部を挿し入れることでハンガーＨを引っ掛けることが可能となる。なお、この場合、溝部が引っ掛け部に相当する。
【００５３】
（４）支持部裏空間２９に吹出チャンバ３３を配設することに加え、その吹出チャンバ３３に接続される空調ダクト３２の一部を横引きするようにしてもよい。すなわち、支持部裏空間２９において空調ダクト３２の一部を仕切壁１２ａの壁幅方向に延びるよう配設してもよい。例えば、空調装置３１の設置位置と吹出口３４の設置位置とが仕切壁１２ａの壁幅方向にずれている場合等には、かかる構成を採用することが有効となる。
【００５４】
（５）上記実施形態では、支持部２８を壁状に形成したが、例えば支持部２８を棒状に形成して仕切壁１２ａの壁幅方向に所定間隔で複数設けてもよい。その場合にも、照明遮蔽部２２の支持強度を確保しながら、照明遮蔽部２２の仕切壁１２ａからの延出長さを長くすることができる。
【００５５】
（６）上記実施形態では、居室１１を機械室１８（ひいては居室１１の隣室）と仕切る仕切壁１２ａ（間仕切壁）に間接照明部２０が設けられていたが、居室１１を屋外と仕切る外壁部に間接照明部２０が設けられる場合も考えられる。そこで、このような場合に本発明を適用するようにしてもよい。
【００５６】
（７）上記実施形態では、居室１１（屋内空間に相当）において本発明を適用した場合について説明したが、寝室や廊下等、居室１１以外の居住空間に本発明を適用してもよい。
【符号の説明】
【００５７】
１０…建物、１１…屋内空間としての居室、１２ａ…壁部としての仕切壁、１５…天井部、２０…間接照明部、２１…照明装置としての照明器具、２２…照明遮蔽部、２４…引っ掛け部としての立ち上がり部、２８…支持部、２９…支持部裏空間、３０…空調設備、３３…通気部材としての吹出チャンバ、３４…吹出口。
【図１】
2020037839.tif 000003
【図２】
2020037839.tif 000004